(57)【特許請求の範囲】
【請求項１】
透過原稿に光を照射するための、主走査方向に長い第１と第２の光源を前記主走査方向に垂直な副走査方向に並べて有する光源ユニットと、前記透過原稿からの透過光を受光して光電変換する光電変換手段を前記主走査方向に長く配置して有する画像読取ユニットとを備え、前記光源ユニットと前記画像読取ユニットとを前記副走査方向に位置合わせし、前記透過原稿に対して前記副走査方向に同期して走査させることにより前記透過原稿上の画像情報を読み取るための画像読取装置であって、
前記第１と第２の光源の前記副走査方向光量分布における光量最大位置の均一幅が広い方が第２の光源、他方が第１の光源であり、前記第１の光源からの光の前記主走査方向の前記透過原稿の範囲を前記画像読取ユニットで、前記第１の光源を前記副走査方向に走査して読み取った画像情報の前記副走査方向で最大の光量位置における前記光源ユニットと前記画像読取ユニットとの前記副走査方向の相対位置を第１相対位置とする第１相対位置決定手段と、
前記第１相対位置から、前記第１と第２の光源の前記副走査方向の距離だけ、前記副走査方向の前記第２の光源の方向に、前記画像読取ユニットを移動させた相対位置を第２相対位置とする第２相対位置決定手段と、
前記第１の光源からの光で前記透過原稿を読み取る時には前記第１相対位置で、前記第２の光源からの光で前記透過原稿を読み取る時には前記第２相対位置で各々前記位置合わせを行い、前記光源ユニットと前記画像読取ユニットとを前記副走査方向に前記第１または第２の相対位置を保ちながら同期して走査して読み取る走査制御手段と、
を備えることを特徴とする画像読取装置。
【請求項２】
前記第１の光源が赤外ＬＥＤであることを特徴とする請求項１に記載の画像読取装置。
【請求項３】
前記第１の光源が前記透過原稿上の欠陥を検出する場合に点灯される光源であることを特徴とする請求項１に記載の画像読取装置。
【請求項４】
前記画像読取装置はさらに、前記透過原稿を前記画像読取装置に対して前記主走査方向に位置決めするガイドを有し、前記第１相対位置決定を行う基となる画像情報の主走査方向範囲は、前記ガイドで位置決めされた前記透過原稿の主走査方向範囲であることを特徴とする請求項１に記載の画像読取装置。
【請求項５】
前記透過原稿は、複数の画像コマを前記副走査方向に並んで有する写真フィルムであり、前記第１相対位置決定を行う基となる画像情報は、前記透過原稿上の前記複数の画像コマ間の領域を読み取って得ることを特徴とする請求項１に記載の画像読取装置。
【請求項６】
透過原稿に光を照射するための、主走査方向に長い第１と第２の光源を前記主走査方向に垂直な副走査方向に並べて有する光源ユニットと、前記透過原稿からの透過光を受光して光電変換する光電変換手段を前記主走査方向に長く配置して有する画像読取ユニットとを備え、前記光源ユニットと前記画像読取ユニットとを前記副走査方向に位置合わせし、前記透過原稿に対して前記副走査方向に同期して走査させることにより前記透過原稿上の画像情報を読み取るための画像読取装置の制御方法であって、
前記第１と第２の光源の前記副走査方向光量分布における光量最大位置の均一幅が広い方が第２の光源、他方が第１の光源であり、前記第１の光源からの光の前記主走査方向の前記透過原稿の範囲を前記画像読取ユニットで、前記第１の光源を前記副走査方向に走査して読み取った画像情報の前記副走査方向で最大の光量位置における前記光源ユニットと前記画像読取ユニットとの前記副走査方向の相対位置を第１相対位置とする第１相対位置決定工程と、
前記第１相対位置から、前記第１と第２の光源の前記副走査方向の距離だけ、前記副走査方向の前記第２の光源の方向に、前記画像読取ユニットを移動させた相対位置を第２相対位置とする第２相対位置決定工程と、
前記第１の光源からの光で前記透過原稿を照射して、前記光源ユニットと前記画像読取ユニットとを前記第１相対位置を保ちながら前記副走査方向に同期して走査して前記透過原稿を読み取る第１読取工程と、
前記第２の光源からの光で前記透過原稿を照射して、前記光源ユニットと前記画像読取ユニットとを前記第２相対位置を保ちながら前記副走査方向に同期して走査して前記透過原稿を読み取る第２読取工程とを有することを特徴とする画像読取装置の制御方法。
【請求項７】
請求項６に記載の画像読取装置の制御方法をコンピュータに実行させることを特徴とするプログラム。
【請求項８】
請求項７に記載のプログラムをコンピュータ読み取り可能に記憶したことを特徴とする記憶媒体。
【発明の詳細な説明】
【０００１】
【発明の属する技術分野】
本発明は写真フィルム等の透過原稿上の画像情報を光電変換手段によって読み取る技術に関する。
【０００２】
【従来の技術】
近年、通信ネットワークの発達、コンピュータの高速化及び記憶媒体の大容量化に伴い、カラー画像情報を取り扱う上で、より高画質化が望まれるようになってきており、中でもスキャナなどでカラー画像情報を読み取る場合、より正確に高速、高画質で読み取りたいという要求が高まってきている。
【０００３】
また、写真フィルムの画像読み取りに対しても、複数コマを有するスリーブ形態の写真フィルム画像情報をより正確に、高速且つ高画質で読み取りたいという要求が高まってきている。より高画質にフィルムを読み取る手段として、フィルム上のゴミキズ除去処理手段を有する画像読み取り装置の提案があり、その一例として、特開２００１−２９８５９３号公報が挙げられる。同提案によれば、ゴミキズ情報を検出するための赤外ＬＥＤと画像情報読取のための光源とを有する光源が面光源として構成されており、ゴミやキズの影響を削減した画像を読み取ることが可能となっている。
【０００４】
しかしながら面光源としての間接照明系では照明効率が低いため、より高速及び高画質で読取を行なう手段として、照明系と光学系を同期移動させるものが知られている。それら照明系及び光学系を制御する方法としては、特開平１０−００４４８１号公報に開示されている方法などが挙げられる。この公報記載の技術によれば、照明系と光学系の位置ずれによって生じる同期不良などの影響を極力低減させることができる。
【０００５】
同公報に関連する形態を図１４、図１５、図１６を用いて簡単に説明する。
【０００６】
図１４は、書類原稿等と写真フィルムをそれぞれ読み取り可能とする画像入力装置の一例を示す図である。図１５は図１４に示される画像読取装置において、写真フィルムを読み取る際に写真フィルムを固定するための固定部材を搭載した状態を示した図である。
【０００７】
画像読取装置１には、写真フィルム等の透過原稿を読み取る際に必要な透過原稿用照明装置２が設置され、画像読取装置制御基板３から制御可能なように透過原稿用光源点灯インバータ７とＩ／Ｆケーブル１５によって電気的に接続されている。透過原稿用照明装置２は、透過原稿読み取りのための透過原稿用光源４を有する透過原稿用照明ユニット１８を備えている。また、光学ユニット１４は、透過原稿をＣＣＤイメージセンサ１３上に光学的に結像するために必要な第１反射ミラー９、第２反射ミラー１０、第３反射ミラー１１、レンズ１２、書類原稿等の反射原稿を照射するための反射原稿用照明光源８を有し、画像読取装置制御基板３とモータ１６によって図示された矢印の向き（副走査方向）に走査しながら画像を読み取る構成となっている。
【０００８】
ＣＣＤイメージセンサ１３と画像読取装置制御基板３は信号ケーブル１７によって電気的に接続されており、モータ１６によって、透過原稿用照明ユニット１８と光学ユニット１４とを同期させながら走査することで、ＣＣＤイメージセンサ１３により光電変換された電気信号を画像データとして取得することが可能となる。透過原稿用照明ユニット１８と、原稿台ガラス６上のフィルムガイド５との間に介在する、透過原稿用照明装置２に設置された透過板１９には、透明ガラスもしくは拡散材が用いられる。
【０００９】
フィルム等の透過原稿を読み取る際には、フィルムは原稿台ガラス６上に載置されたフィルムガイド５によって固定される。図１５に示すように、フィルムガイド５には、透過原稿用光源４からの照射光をキャリブレーションするためのキャリブレーション領域Ｓが設けられている。また、図１５に示したＡは、写真フィルム１コマを示している。
【００１０】
図１６は、透過原稿用照明ユニット１８と光学ユニット１４を同期しながら走査させるために必要な光学的位置合わせ方法を示した図である。
【００１１】
あらかじめ、所定の位置に設置されたフィルムガイド５に設けられたキャリブレーション領域Ｓに対応する位置に光学ユニット１４を移動させておき、画像読み取り開始前に透過原稿用照明ユニット１８を距離Ｄだけ矢印の方向に走査させ、キャリブレーション領域Ｓ内略両端の位置ａ及びａ'の位置にて、光出力が最大となる位置、もしくはフィルムを読み取るに有効な位置を探しておく。画像読取時には、常にその位置関係を維持して走査することで、高速で高画質な画像を読み取ることを可能としている。
【００１２】
【発明が解決しようとする課題】
しかしながら、上記の方法では、例えば透過原稿用照明ユニット１８と光学ユニット１４とが正しく平行になっていないような場合、図１７（ａ）に示すように副走査方向の光量分布が均一な範囲が広い場合には有効であるが、図１７（ｂ）に示すように副走査方向の光量分布が均一な範囲が狭い場合には、位置ａと位置ａ'で光出力が最大となる位置がずれてしまうため、対応することができない。
【００１３】
つまり、主走査方法に光学系と照明系が大きく傾いて配置されてしまった場合、光源は十分に均一な光量分布を持つことが必要とされ、読取位置における照明効率の低下を招く。またはキャリブレーション領域Ｓ内の位置ａと位置ａ'で副走査方向の光量分布に差が生じないように精度良く配置することが要求され、コストアップを招く。
【００１４】
また、光源が冷陰極ランプ（以下ＣＣＦＬと略）などのWarm up時間を必要とする光源の場合、Warm up時間が完全に完了した状態でないと正確に照明系及び光学系の位置合わせを行なうことが出来ない。そのため、画像読み取りにおける前処理時間が増加する。さらに複数コマの読取を要求される場合や、通信上の都合で間欠読取が頻発するような場合にも位置ずれを生じさせないような精度を必要とするため、コストアップ等の課題が残る。
【００１５】
したがって、本発明は上述した課題に鑑みてなされたものであり、その目的は、透過原稿照明装置と読み取り用の光学ユニットの位置合わせを容易に行なえるようにすることである。
【００１６】
また、本発明の他の目的は、画像読み取りにおける前処理時間を短縮することである。
【００２２】
【課題を解決するための手段】
上述した課題を解決し、目的を達成するために、本発明に係わる画像読取装置は、透過原稿に光を照射するための、主走査方向に長い第１と第２の光源を前記主走査方向に垂直な副走査方向に並べて有する光源ユニットと、前記透過原稿からの透過光を受光して光電変換する光電変換手段を前記主走査方向に長く配置して有する画像読取ユニットとを備え、前記光源ユニットと前記画像読取ユニットとを前記副走査方向に位置合わせし、前記透過原稿に対して前記副走査方向に同期して走査させることにより前記透過原稿上の画像情報を読み取るための画像読取装置であって、前記第１と第２の光源の前記副走査方向光量分布における光量最大位置の均一幅が広い方が第２の光源、他方が第１の光源であり、前記第１の光源からの光の前記主走査方向の前記透過原稿の範囲を前記画像読取ユニットで、前記第１の光源を前記副走査方向に走査して読み取った画像情報の前記副走査方向で最大の光量位置における前記光源ユニットと前記画像読取ユニットとの前記副走査方向の相対位置を第１相対位置とする第１相対位置決定手段と、前記第１相対位置から、前記第１と第２の光源の前記副走査方向の距離だけ、前記副走査方向の前記第２の光源の方向に、前記画像読取ユニットを移動させた相対位置を第２相対位置とする第２相対位置決定手段と、前記第１の光源からの光で前記透過原稿を読み取る時には前記第１相対位置で、前記第２の光源からの光で前記透過原稿を読み取る時には前記第２相対位置で各々前記位置合わせを行い、前記光源ユニットと前記画像読取ユニットとを前記副走査方向に前記第１または第２の相対位置を保ちながら同期して走査して読み取る走査制御手段と、を備えることを特徴としている。
【００２４】
また、この発明に係わる画像読取装置において、前記第１の光源が赤外ＬＥＤであることを特徴としている。
【００２５】
また、この発明に係わる画像読取装置において、前記第１の光源が前記透過原稿上の欠陥を検出する場合に点灯される光源であることを特徴としている。
【００２６】
また、この発明に係わる画像読取装置において、前記画像読取装置はさらに、前記透過原稿を前記画像読取装置に対して前記主走査方向に位置決めするガイドを有し、前記第１相対位置決定を行う基となる画像情報の主走査方向範囲は、前記ガイドで位置決めされた前記透過原稿の主走査方向範囲であることを特徴としている。
【００２７】
また、この発明に係わる画像読取装置において、前記透過原稿は、複数の画像コマを前記副走査方向に並んで有する写真フィルムであり、前記第１相対位置決定を行う基となる画像情報は、前記透過原稿上の前記複数の画像コマ間の領域を読み取って得ることを特徴としている。
【００３１】
また、本発明に係わる画像読取装置の制御方法は、透過原稿に光を照射するための、主走査方向に長い第１と第２の光源を前記主走査方向に垂直な副走査方向に並べて有する光源ユニットと、前記透過原稿からの透過光を受光して光電変換する光電変換手段を前記主走査方向に長く配置して有する画像読取ユニットとを備え、前記光源ユニットと前記画像読取ユニットとを前記副走査方向に位置合わせし、前記透過原稿に対して前記副走査方向に同期して走査させることにより前記透過原稿上の画像情報を読み取るための画像読取装置の制御方法であって、前記第１と第２の光源の前記副走査方向光量分布における光量最大位置の均一幅が広い方が第２の光源、他方が第１の光源であり、前記第１の光源からの光の前記主走査方向の前記透過原稿の範囲を前記画像読取ユニットで、前記第１の光源を前記副走査方向に走査して読み取った画像情報の前記副走査方向で最大の光量位置における前記光源ユニットと前記画像読取ユニットとの前記副走査方向の相対位置を第１相対位置とする第１相対位置決定工程と、前記第１相対位置から、前記第１と第２の光源の前記副走査方向の距離だけ、前記副走査方向の前記第２の光源の方向に、前記画像読取ユニットを移動させた相対位置を第２相対位置とする第２相対位置決定工程と、前記第１の光源からの光で前記透過原稿を照射して、前記光源ユニットと前記画像読取ユニットとを前記第１相対位置を保ちながら前記副走査方向に同期して走査して前記透過原稿を読み取る第１読取工程と、前記第２の光源からの光で前記透過原稿を照射して、前記光源ユニットと前記画像読取ユニットとを前記第２相対位置を保ちながら前記副走査方向に同期して走査して前記透過原稿を読み取る第２読取工程とを有することを特徴としている。
【００３３】
また、本発明に係わるプログラムは、上記の画像読取装置の制御方法をコンピュータに実行させることを特徴としている。
【００３４】
また、本発明に係わる記憶媒体は、上記のプログラムをコンピュータ読み取り可能に記憶したことを特徴としている。
【００３５】
【発明の実施の形態】
以下、本発明の好適な実施形態について、添付図面を参照して詳細に説明する。
【００３６】
（第１の実施形態）
図１は、本発明の第１の実施形態に係わる透過原稿用照明ユニット１８と光学ユニット１４の副走査位置合わせ方法を用いた画像読取装置制御システムの構成を示すブロック図である。なお、本実施形態では、画像読取装置の構成は、図１４に示した従来例と略同様である。
【００３７】
図１において、画像読取装置制御システムは、全体として、画像読取装置１と透過原稿照明装置２と、位置合わせ制御部２０１と画像処理装置２０６とを備えて構成される。画像読取装置制御部２０５によって制御される画像読取装置１および透過原稿照明装置２は、フィルム原稿を読み取る際に、所定の画像を読み取り、その画像は主走査位置合わせ領域決定部２０２から第１の副走査位置決定部２０３を経由して一旦画像処理装置にて画像処理され、その情報に基づいて透過原稿照明装置２と光学ユニット１４の位置合わせが行なわれる。また、画像読取装置１及び透過原稿照明装置２からの画像情報に基づいて第２の副走査位置決定部２０４により再度位置合わせが行なわれ、最終的な画像情報を取得できる状態となる。
【００３８】
画像読取装置１および透過原稿照明装置２については、従来例において説明したものと同様であるため、説明を省略する。また、画像処理装置２０６は、公知の画像情報を処理する装置であるため、説明を省略する。
【００３９】
まず、主走査位置合わせ領域決定部２０２は、従来例で説明した光学ユニット１４と透過原稿照明ユニット１８の傾き等による位置合わせ不良を解決する手段である。
【００４０】
主走査位置合わせ領域決定部２０２について、図２を参照して説明する。図２は、図１５で説明したフィルムガイド５のフィルムＡ付近を拡大した図である。
【００４１】
フィルムＡの画像情報を読み取る画像読取領域ＲＡに必要な主走査幅ＳＡ１について、キャリブレーション領域Ｓで位置合わせを行なうようにすることで、図１５のａ，ａ'の位置で位置合わせを行なうよりも、主走査幅が短くすむ。そのために透過原稿照明ユニット１８と光学ユニット１４との傾きや光量分布の影響を軽減できることは明らかであり、コストアップ無く、より高効率の照明装置の形態を実現できる。
【００４２】
次に、第１の副走査位置決定部２０３は、複数の光源を要する場合には、いずれか片方の光源のみで位置合わせを行なうようにすることで、さらには、複数の光源のうちＬＥＤ光源を有するものについてはＬＥＤ光源にて位置合わせを行なうことで、より高速かつ正確な位置合わせを可能とする手段である。
【００４３】
第１の副走査位置決定部２０３について、図３、図４、図５、図６を参照して説明する。図３は、透過原稿照明装置２をフィルム設置側から見た図であり、フィルムのゴミキズ検出用の赤外ＬＥＤ２７と画像情報読取用の光源４を有する透過原稿照明ユニット２８を示している。赤外ＬＥＤ２７と光源４は略並行に配置されている。図４（ａ）は、画像情報を読み取るための光源４によって光量分布の略最大位置で位置合わせをした場合を示す図である。図４（b）は、ゴミキズ検出用の赤外ＬＥＤ２７によって光量分布の略最大位置で位置合わせをした場合を示す図である。また、図５（ａ）は、光源４における光量分布を、図５（ｂ）は赤外ＬＥＤ２７における光量分布の一例を示している。
【００４４】
赤外ＬＥＤ２７と光源４との間には物理的に略ｄで示される距離がある。また、図４（ａ）の光源４で合わせた位置から赤外ＬＥＤ２７までの距離がＤ１であったとし、また、図４（ｂ）の赤外ＬＥＤ２７で合わせた位置から光源４までの距離がＤ２であったとすると、図５に示したように赤外ＬＥＤ２７における光量分布は、光源４の光量分布よりも均一幅の狭い領域の特性を示していることから、通常、式（１）で示されるような関係が成立する。
【００４５】
|ｄ ― Ｄ１| ≧ |ｄ ― Ｄ２|      …(１)
式（１）が示すことは、赤外ＬＥＤ２７によって位置合わせを行なえば、光源４で位置合わせを行なわずとも、所定量ｄなる距離の移動のみで光源４での位置合わせを完了することが出来ることを意味している。
【００４６】
図６はＬＥＤとＣＣＦＬの点灯直後における光量変化を示した図である。例えば、光源４がＣＣＦＬで構成されている場合、図６に示すように点灯後に光量が安定するまでに要する時間はＬＥＤのほうがＣＣＦＬよりも極めて短い。すなわち光量立ち上がりがはやい。これらの意味からも、赤外ＬＥＤ２７とＣＣＦＬの光源４を有するような場合には赤外ＬＥＤ２７によって位置合わせ処理を行なうようにすることで、より高速でかつ最適な位置合わせを行なうことができる。従って、ゴミキズ検出用としての赤外ＬＥＤでなくとも、位置合わせ用としてＬＥＤを用いることは有効である。
【００４７】
次に、第２の副走査位置決定部２０４は、従来技術の課題であった複数のフィルムを読み取る場合や、間欠読取における光学系４と透過原稿照明ユニット１８との間で生じやすい位置ずれを防止することを可能とする手段である。
【００４８】
第２の副走査位置決定部２０４を図７、図８、図９を参照して説明する。図７は、図１５で説明したフィルムガイド５のフィルムＡ付近を拡大した図である。フィルムＡの画像情報を読み取る画像読取領域ＲＡを読み取る前に、フィルムコマ間領域ＢＡにおいて既に説明した位置合わせを行なう。図８は、領域ＢＡでのＲＧＢ各色についての副走査方向の出力分布の例を示した図である。それぞれの各色のピーク出力ＢＡｒ, ＢＡｇ, ＢＡｂは、平均化処理で容易に検出でき、この値を参照しながらフィルムコマ間領域ＢＡにおいて前記位置合わせを行なう。図９には、第２の副走査位置決定のフローチャートを示す。
【００４９】
図９において、ステップＳ２００で、まず光学系ユニット１４を固定して照明ユニット２８を前後（副走査方向）に走査させる。これによりステップＳ２０１では、図８のヒストグラムを作成する。ステップＳ２０２では、ＢＡｒ, ＢＡｇ, ＢＡｂそれぞれのピーク値が副走査方向の位置において一致しているか否かを判断する。ステップＳ２０２でＢＡｒ, ＢＡｇ, ＢＡｂが一致している場合には、ステップＳ２０３にすすむ。ステップＳ２０３では、ピーク値を副走査方向の位置として一致するように位置あわせを行なう。ピーク値が一致する場合は、原則としてフィルムのベース濃度領域と考えられ、ベース情報としての、ＢＡｒ, ＢＡｇ, ＢＡｂにて前記位置合わせ制御を行なうことになる。ただし、ベース濃度領域でなくてもピーク値が一致する場合には、フィルム上の画像情報の影響を受けていないと考えられ、したがって、前記位置合わせ制御を行なうことができる。ステップＳ２０２でＢＡｒ, ＢＡｇ, ＢＡｂが一致していない場合には、ステップＳ２０４で、前記位置合わせ制御を行わない。この場合、一致していないどのピーク値に合わせるか判断が困難だからである。ステップＳ２０５では、フィルム読取領域ＲＡを読み取るための光学系ユニット４と透過原稿照明ユニット１８の位置を更新する。
【００５０】
また、図８で説明した、ＢＡｒ, ＢＡｇ, ＢＡｂの３色分でなくとも、いずれか１つの信号を用いたり、赤外ＬＥＤ２７の発光に対応した信号を用いたりすることによる制御も可能である。さらに、フィルムを読み取る前に位置合わせを行なう方法以外にも、複数コマを読み取る際には各１コマの画像情報を読み取った後に、位置合わせすることも有効である。さらには、フィルムを読み取りながら、フィルム端部のベース情報を参照することで位置合わせを行なうことも可能である。
【００５１】
また、上記実施形態では波形のピーク値が一致しているか否かを基準として判断していたが（ステップＳ２０２参照）、完全な一致である必要はない。所定範囲内であれば足りる。また、ヒストグラムの波形を基準に波形が一致しているか否かを判断材料にしても構わない。
【００５２】
以上のように、本実施形態によれば、コストアップ無く、より高効率の照明装置の形態を構成できる。
【００５３】
（第２の実施形態）
主走査位置合わせ部２０２の第２の実施形態について図１０を参照して説明する。図１０は、図１５で説明したフィルムガイド５のフィルムＡ付近を拡大した図である。フィルムＡの画像情報を読み取る画像読取領域ＲＡに必要でありかつ略フィルム位置２列分をカバーする主走査幅ＳＡ２について、キャリブレーション領域Ｓで位置合わせを行なう。この場合でも、第１の実施形態と同様に、図１５のａ，ａ'の位置で位置合わせを行なうよりも、主走査幅が短くすむ。そのために透過原稿照明ユニット１８と光学ユニット１４との傾きや光量分布の影響を軽減できることは明らかであり、コストアップ無く、より高効率の照明装置の形態を構成できる。また、本実施形態の場合には、領域ＳＡ２に相当する２列分のフィルムの画像読み取りには前記位置合わせ処理を省くことも可能となる。
【００５４】
（第３の実施形態）
第１の副走査位置決定部２０３の他の形態について図１１を参照して説明する。図１１は、透過原稿照明装置２をフィルム設置側から見た図であり、ゴミキズ検出用の赤外ＬＥＤ２９と画像情報読取用の光源４を有する透過原稿照明ユニット２８を示している。赤外ＬＥＤ２９と光源４は略平行に配置されている。
【００５５】
本実施形態では、特定主走査位置ｂ−ｂ'にのみゴミキズ除去用の赤外ＬＥＤ２９を配置した透過原稿照明装置３２を用いる。
【００５８】
さらに、フィルムを読み取る前に位置合わせを行なう方法以外にも、複数コマを読み取る際には各１コマの画像情報を読み取った後に、位置合わせをするようにしても良い。さらには、フィルムを読み取りながら、フィルム端部のベース情報を参照することで位置合わせを行なうことも可能である。
【００５９】
以上のように、本実施形態によれば、コストアップ無く、より高効率の照明装置の形態を構成できる。
【００６０】
以上説明したように上記の第１乃至第４の実施形態によれば、読取に必要な最小限の主走査幅で透過原稿照明ユニットと光学ユニットの位置合わせを行なうことができるので、構成としての精度を軽減でき、かつ高光出力の照明効率で透過原稿照明ユニットを構成することができる。
【００６１】
また、Warm up時間をほとんど必要としないＬＥＤ光源にて前記位置合わせ処理を行ない、物理的に決定された画像読取用光源の位置に所定量移動することによって、画像読取における前処理時間を短縮することができる。
【００６２】
さらに、１枚もしくは複数フィルムのコマ間を利用して位置合わせ処理を再補正することにより、コストアップすることなく、かつシェーディング領域に戻らずとも最適な位置合わせを可能とすることができる。
【００６３】
【他の実施形態】
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【００６４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【００６５】
本発明を上記記憶媒体に適用する場合、その記憶媒体には、先に説明した手順に対応するプログラムコードが格納されることになる。
【００６６】
【発明の効果】
この発明によれば、画像読取に必要な透過原稿照明ユニットと光学ユニットの位置合わせを、より短時間に精度良く行なうことができるので、構成としての精度を軽減でき、かつ照明効率の良い透過原稿照明ユニットを構成可能となり、コストアップすることなく、高速で高画質の画像読取が可能となる。
【図面の簡単な説明】
【図１】本発明の実施形態に係わる画像読取装置制御システムの構成を示したブロック図である。
【図２】本発明の第１の実施形態を説明するためのフィルムガイドの拡大図である。
【図３】本発明の第１の実施形態を説明するための透過原稿照明装置の概略図である。
【図４】本発明の第１の実施形態を説明するための透過原稿照明ユニットと光学系の位置合わせを説明するための図である。
【図５】本発明の第１の実施形態を説明するための透過原稿照明ユニットの光量分布を示す図である。
【図６】本発明の第１の実施形態を説明するための光源の光量変化を示す図である。
【図７】本発明の第１の実施形態を説明するためのフィルムガイドの拡大図である。
【図８】本発明の第１の実施形態を説明するためのフィルムベースのヒストグラムを示す図である。
【図９】本発明の第１の実施形態を説明するための制御フローチャートである。
【図１０】本発明の第２の実施形態を説明するためのフィルムガイドの拡大図である。
【図１１】本発明の第３の実施形態を説明するための透過原稿照明装置の概略図である。
【図１４】従来例を説明するための画像読取装置の構成を示す図である。
【図１５】従来例を説明するためのフィルムガイドを示す図である。
【図１６】従来例を説明するための透過原稿照明ユニットと光学系の位置合わせを示す図である。
【図１７】従来例を説明するための透過原稿照明ユニットの光量分布図である。
【符号の説明】
１  画像読取装置
２  透過原稿用照明装置
４  光源
７  透過原稿用光源点灯インバータ
８  反射原稿用照明光源
９  第１反射ミラー
１０  第２反射ミラー
１１  第３反射ミラー
１４  光学ユニット
１８  透過原稿用照明ユニット
Ａ  フィルム
Ｄ  位置合わせ移動距離
２０１  位置合わせ制御部
２０２  主走査位置合わせ領域決定部
２０３  第１の副走査位置決定部
２０４  第２の副走査位置決定部
２０５  画像読取装置制御部
ＲＡ  画像読取領域
ＳＡ１  主走査幅
２８  複数の光源を含む透過原稿照明ユニット
ｄ  赤外ＬＥＤと画像情報読取用の光源との距離
Ｄ１  画像情報読取用の光源による位置合わせ後の位置と赤外ＬＥＤとの距離
Ｄ２  赤外ＬＥＤによる位置合わせ後の位置と画像情報読取用の光源との距離
ＢＡ  フィルムコマ間領域
ＳＡ２  主走査幅
【図１】
0003984838.tif 000002
【図２】
0003984838.tif 000003
【図３】
0003984838.tif 000004
【図４】
0003984838.tif 000005
【図５】
0003984838.tif 000006
【図６】
0003984838.tif 000007
【図７】
0003984838.tif 000008
【図８】
0003984838.tif 000009
【図９】
0003984838.tif 000010
【図１０】
0003984838.tif 000011
【図１１】
0003984838.tif 000012
【図１４】
0003984838.tif 000013
【図１５】
0003984838.tif 000014
【図１６】
0003984838.tif 000015
【図１７】
0003984838.tif 000016